(57)【要約】【課題】操作者の操作負担を低減し、利便性を向上することができる無線タグ情報読み取り装置を提供する。【解決手段】無線タグ情報通信装置１は、無線タグ回路素子Ｔoにアクセスするための、複数種類のコマンド信号を生成可能な複数の送信回路３１６Ａ〜Ｃと、複数の送信回路３１６Ａ〜Ｃにそれぞれ接続され、複数種類のコマンド信号を実質的に同じタイミングで無線通信を介して無線タグ回路素子Ｔoに送信する複数のループアンテナＬＣ１〜３と、ループアンテナＬＣ１〜３から送信されたコマンド信号に応じ無線タグ回路素子Ｔoから送信され、ループアンテナＬＣ１〜３で受信された応答信号を、受信処理して読み取り情報を取得する１つの受信回路３１７とを有する。【選択図】図６
2008242857.tif 000002
【特許請求の範囲】
【請求項１】
情報を記憶するＩＣ回路部と情報を送受信するタグ側アンテナとを備えた無線タグ回路素子にアクセスするための、複数種類のコマンド信号を生成可能な複数の情報生成手段と、
前記複数の情報生成手段にそれぞれ接続され、前記複数種類のコマンド信号を実質的に同じタイミングで無線通信を介して前記無線タグ回路素子に送信する複数の装置側アンテナと、
前記装置側アンテナから送信された前記コマンド信号に応じ前記無線タグ回路素子から送信され、前記装置側アンテナで受信された応答信号を、受信処理して読み取り情報を取得する１つの情報処理手段と
を有することを特徴とする無線タグ情報読み取り装置。
【請求項２】
請求項１記載の無線タグ情報読み取り装置において、
前記複数の情報生成手段のそれぞれは、
互いに共通の搬送波発生手段により発生された搬送波を入力し変調する搬送波変調手段を備える
ことを特徴とする無線タグ情報読み取り装置。
【請求項３】
請求項１又は請求項２記載の無線タグ情報読み取り装置において、
前記複数の情報生成手段は、
前記ＩＣ回路部の前記無線タグ情報の取得処理を行う取得処理コマンド信号と、前記無線タグ回路素子の非応答化処理を行う非応答化処理コマンド信号とを含む前記複数種類のコマンド信号を生成することを特徴とする無線タグ情報読み取り装置。
【請求項４】
請求項３記載の無線タグ情報読み取り装置において、
前記複数の情報生成手段は、
前記非応答化処理コマンド信号として、前記無線タグ回路素子の機能を休眠化させる休眠化処理コマンド信号を含む前記複数種類のコマンド信号を生成することを特徴とする無線タグ情報読み取り装置。
【請求項５】
請求項３又は請求項４記載の無線タグ情報読み取り装置において、
前記複数の情報生成手段のうち、１つの情報生成手段が前記取得処理コマンド信号を生成し、残りの情報生成手段が前記非応答化処理コマンド信号を生成するように、前記複数の情報生成手段を制御する制御手段を有する
ことを特徴とする無線タグ情報読み取り装置。
【請求項６】
請求項５記載の無線タグ情報読み取り装置において、
前記制御手段は、
前記取得処理コマンド信号を生成する前記１つの情報生成手段を順次切り替えるように、前記複数の情報生成手段を制御する
ことを特徴とする無線タグ情報読み取り装置。
【請求項７】
請求項６記載の無線タグ情報読み取り装置において、
前記制御手段による、前記取得処理コマンド信号を生成する前記情報生成手段の切り替え状態に対応した点灯表示を行う点灯表示手段を有することを特徴とする無線タグ情報読み取り装置。
【請求項８】
請求項５乃至請求項７のいずれか１項記載の無線タグ情報読み取り装置において、
前記装置側アンテナで受信された応答信号に基づき前記情報処理手段で取得された前記読み取り情報に応じて、前記無線タグ回路素子と通信を行った前記装置側アンテナを特定するアンテナ特定手段を有することを特徴とする無線タグ情報読み取り装置。
【請求項９】
請求項８記載の無線タグ情報読み取り装置において、
前記複数の装置側アンテナは、複数の操作端末にそれぞれ対応して接続された複数のアンテナユニットにそれぞれ設けられている
ことを特徴とする無線タグ情報読み取り装置。
【請求項１０】
請求項９記載の無線タグ情報読み取り装置において、
前記アンテナ特定手段でのアンテナ特定結果に基づき、前記複数の操作端末のうち、前記情報処理手段で取得した前記読み取り情報又はこれに対応する情報の出力先となる操作端末を決定するための情報振り分け手段と
を有することを特徴とする無線タグ情報読み取り装置。
【請求項１１】
請求項８乃至請求項１０のいずれか１項記載の無線タグ情報読み取り装置において、
前記装置側アンテナで受信された応答信号に基づき前記情報処理手段で取得された前記読み取り情報を、前記アンテナ特定手段での特定結果と関連付けて記憶する読み取り情報記憶手段
を有することを特徴とする無線タグ情報読み取り装置。
【発明の詳細な説明】
【技術分野】
【０００１】
本発明は、非接触で情報の読み取り／書き込みを行える無線タグ回路素子の無線タグ情報を読み取るための無線タグ情報読み取り装置に関する。
【背景技術】
【０００２】
小型の無線タグとリーダ（読み取り装置）／ライタ（書き込み装置）との間で非接触で情報の読み取り／書き込みを行うＲＦＩＤ（Radio  Frequency  Identification）システムが知られている。例えばラベル状の無線タグに備えられた無線タグ回路素子は、所定の無線タグ情報を記憶するＩＣ回路部とこのＩＣ回路部に接続されて情報の送受信を行うアンテナとを備えている。リーダのアンテナより無線タグ回路素子に対し送信波の送信を行うと、無線タグ回路素子はその送信波の電波のもつエネルギを利用して返答の送信を行う。このようなリーダを用いて無線タグ回路素子から情報読み取りを行う従来技術として、例えば特許文献１記載のものがある。
【０００３】
この従来技術は、操作端末（ＰＣ）とリーダとを接続し、操作端末で所定の操作を行うことにより、リーダよりファイルや人間に所持された無線タグ回路素子の記憶情報を読み取って取得するものである。
【０００４】
一方、例えば、このような無線タグ回路素子に無線タグ情報を書き込んで無線タグラベルを作成する無線タグラベル作成装置が既に提唱されている（例えば、特許文献２参照）。この従来技術では、所定間隔で無線タグ回路素子が設けられた帯状のタグテープ（基材テープ）がタグテープロール（第１ロール）から繰り出されるとともに、別のロール（第２ロール）から繰り出された被印字テープが上記タグテープに貼り合わされる。このとき、上記タグテープの無線タグ回路素子には装置側で生成した所定の無線タグ情報が送信されてＩＣ回路部に書き込まれ、被印字テープにはその書き込まれる無線タグ情報に対応した印字が印字手段によって行われ、これによって印字つきの無線タグラベルが作成されるようになっている。
【０００５】
【特許文献１】特開２００５−２９８１００号公報
【特許文献２】特開２００５−１８６５６７号公報
【発明の開示】
【発明が解決しようとする課題】
【０００６】
一般に、上記特許文献２に記載のようなタグラベル作成装置で作成された無線タグラベルは、管理対象（物品等）に貼り付けられる等、関連付けられて設けられる。そして、上記特許文献１記載のようなリーダにより、上記商品等に設けられた無線タグラベルから無線タグ情報が読み取られて、商品に関する情報を入手して当該商品の管理等が行われる。
【０００７】
ここで、例えばＬＡＮ等のネットワークを介して複数のＰＣ端末が接続されている環境においては、例えばリーダ本体の外部に複数のアンテナを設けてリーダ本体に接続するとともに、各アンテナをそれぞれ上記複数のＰＣ端末に対応づけて（例えば各ＰＣの近傍に）配置することが考えられる。この場合、各アンテナにより無線タグラベルから読み取られた無線タグ情報を、ＬＡＮ等のネットワークを介してリーダの本体で取得した後、対応する情報をＰＣ端末へ送信することとなる。このような場合、複数のアンテナのうちいずれかをリーダ本体に選択的に接続するためのスイッチ等を設け、操作者がこのスイッチ等を切替操作する必要があり、手間を要していた。
【０００８】
本発明の目的は、操作者の操作負担を低減し、利便性を向上することができる無線タグ情報読み取り装置を提供することにある。
【課題を解決するための手段】
【０００９】
上記目的を達成するために、第１の発明は、情報を記憶するＩＣ回路部と情報を送受信するタグ側アンテナとを備えた無線タグ回路素子にアクセスするための、複数種類のコマンド信号を生成可能な複数の情報生成手段と、前記複数の情報生成手段にそれぞれ接続され、前記複数種類のコマンド信号を実質的に同じタイミングで無線通信を介して前記無線タグ回路素子に送信する複数の装置側アンテナと、前記装置側アンテナから送信された前記コマンド信号に応じ前記無線タグ回路素子から送信され、前記装置側アンテナで受信された応答信号を、受信処理して読み取り情報を取得する１つの情報処理手段とを有することを特徴とする。
【００１０】
本願第１発明においては、情報生成手段で生成されたコマンド信号が装置側アンテナより無線通信を介し無線タグ回路素子に送信される。このコマンド信号に応じて無線タグ回路素子から送信された応答信号は、装置側アンテナで受信される。その後、その受信された応答信号は共通の１つの情報処理手段で受信処理され、これによって読み取り情報が取得される。
【００１１】
このとき、情報生成手段は複数個設けられ、それら全体で複数種類のコマンド信号を生成し、装置側アンテナより実質的に同じタイミングで送信可能となっている。これにより、それら複数の情報生成手段からのコマンド信号の内容を工夫することで、（特に装置側アンテナを選択的に接続するスイッチ等を設けなくても）各装置側アンテナを選択的に使用するのと同等の機能を得ることができる。この結果、操作者の利便性を向上することができる。
【００１２】
第２発明は、上記第１発明において、前記複数の情報生成手段のそれぞれは、互いに共通の搬送波発生手段により発生された搬送波を入力し変調する搬送波変調手段を備えることを特徴とする。
【００１３】
各情報生成手段は、搬送波変調手段を備えている。そして、その搬送波変調手段で、共通の搬送波発生手段からの搬送波を変調することにより、各情報生成手段ごとにコマンド信号を生成することができる。
【００１４】
第３発明は、上記第１又は第２発明において、前記複数の情報生成手段は、前記ＩＣ回路部の前記無線タグ情報の取得処理を行う取得処理コマンド信号と、前記無線タグ回路素子の非応答化処理を行う非応答化処理コマンド信号とを含む前記複数種類のコマンド信号を生成することを特徴とする。
【００１５】
複数の情報生成手段からの複数種類のコマンド信号を装置側アンテナから実質的に同じタイミングで送信するとき、一部の情報生成手段からは取得処理コマンド信号を生成して送信し、残りの情報生成手段からは非応答化処理コマンド信号を生成して送信する。これにより、（特に装置側アンテナを選択的に接続するスイッチ等を設けなくても）複数の装置側アンテナを選択的に使用するのと同等の機能を得ることができる。
【００１６】
第４発明は、上記第３発明において、前記複数の情報生成手段は、前記非応答化処理コマンド信号として、前記無線タグ回路素子の機能を休眠化させる休眠化処理コマンド信号を含む前記複数種類のコマンド信号を生成することを特徴とする。
【００１７】
休眠化処理コマンド信号を受信した無線タグ回路素子は休眠化され応答しなくなる。したがって、一部の情報生成手段からは取得処理コマンド信号を生成して送信し、残りの情報生成手段からは休眠化処理コマンド信号を生成して送信することで、各装置側アンテナを選択的に使用するのと同等の機能を得ることができる。
【００１８】
第５発明は、上記第３又は第４発明において、前記複数の情報生成手段のうち、１つの情報生成手段が前記取得処理コマンド信号を生成し、残りの情報生成手段が前記非応答化処理コマンド信号を生成するように、前記複数の情報生成手段を制御する制御手段を有することを特徴とする。
【００１９】
制御手段の制御により、１つの情報生成手段からの取得処理コマンド信号で、対応するアンテナ通信範囲の無線タグ回路素子から情報読み取りを図る。その一方、残りの情報生成手段からの休眠化処理信号で、対応するアンテナ通信範囲において休眠化処理信号を受信した無線タグ回路素子は応答しなくなる。この結果、複数の装置側アンテナのうち１つを選択的に使用するのと同等の機能を得ることができる。
【００２０】
第６発明は、上記第５発明において、前記制御手段は、前記取得処理コマンド信号を生成する前記１つの情報生成手段を順次切り替えるように、前記複数の情報生成手段を制御することを特徴とする。
【００２１】
１つの情報生成手段からの取得処理コマンド信号を用いて対応する装置側アンテナの通信範囲にある無線タグ回路素子から情報読み取りを図り、残りの情報生成手段からの休眠化処理信号を用いて対応する装置側アンテナの通信範囲にある無線タグ回路素子を応答しないようにする。この結果、複数の情報生成手段のうち取得処理コマンド信号を生成する上記１つの情報生成手段を順次切り替えることで、複数の装置側アンテナから１つを選択し、かつその選択する装置側アンテナを順次切り替えるのと同等の機能を得ることができる。
【００２２】
第７発明は、上記第６発明において、前記制御手段による、前記取得処理コマンド信号を生成する前記情報生成手段の切り替え状態に対応した点灯表示を行う点灯表示手段を有することを特徴とする。
【００２３】
これにより、どの装置側アンテナにより無線タグ回路素子からの情報取得が図られているのかを、操作者へ視覚的に明確に報知することができる。
【００２４】
第８発明は、上記第５乃至第７発明のいずれかにおいて、前記装置側アンテナで受信された応答信号に基づき前記情報処理手段で取得された前記読み取り情報に応じて、前記無線タグ回路素子と通信を行った前記装置側アンテナを特定するアンテナ特定手段を有することを特徴とする。
【００２５】
読み取り情報の取得時において、その通信に携わった装置側アンテナを特定する。これにより、その装置側アンテナの通信範囲に基づき、当該情報が取得された無線タグ回路素子の配置場所を概ね特定することが可能となる。
【００２６】
第９発明は、上記第８発明において、前記複数の装置側アンテナは、複数の操作端末にそれぞれ対応して接続された複数のアンテナユニットにそれぞれ設けられていることを特徴とする。
【００２７】
各装置側アンテナは、各操作端末に対応するように接続されたアンテナユニットに設けられている。読み取り情報の取得時において、アンテナ特定手段では、その通信に携わった装置側アンテナを特定する。これにより、当該情報が取得された無線タグ回路素子の配置場所が、その装置側アンテナを備えたアンテナユニット付近であると特定することができる。
【００２８】
第１０発明は、上記第９発明において、前記アンテナ特定手段でのアンテナ特定結果に基づき、前記複数の操作端末のうち、前記情報処理手段で取得した前記読み取り情報又はこれに対応する情報の出力先となる操作端末を決定するための情報振り分け手段とを有することを特徴とする。
【００２９】
本願第１０発明においては、複数の操作端末に対応して配置された複数のアンテナユニットの装置側アンテナを介し無線タグ回路素子から読み取り情報が取得され、アンテナ特定手段ではその読み取り情報に応じて読み取り時の通信に携わった装置側アンテナを特定する。そして、情報振り分け手段は、その特定結果に基づき、その読み取り情報の出力先を、上記特定された装置側アンテナに対応する操作端末へと設定する。これにより、上記読み取り情報情報（又はこれに対応する情報）はその設定された操作端末へと出力される。
【００３０】
このようにして、無線タグ回路素子から取得された読み取り情報の出力先が複数の操作端末のうちどれであるかを、アンテナ特定結果に基づき決定する。これにより、操作者がいちいち煩雑な手動設定を行うことなく、該当する操作端末を自動的に出力先として設定することができる。この結果、操作者の操作負担を低減し、利便性を向上することができる。
【００３１】
第１１発明は、上記第８乃至第１０発明のいずれかにおいて、前記装置側アンテナで受信された応答信号に基づき前記情報処理手段で取得された前記読み取り情報を、前記アンテナ特定手段での特定結果と関連付けて記憶する読み取り情報記憶手段を有することを特徴とする。
【００３２】
これにより、いったん記憶させた読み取り情報を読み出したとき、複数の装置側アンテナのいずれを介し読み取られたものであるかを明確にすることができる。
【発明の効果】
【００３３】
本発明によれば、操作者の操作負担を低減し、利便性を向上することができる。
【発明を実施するための最良の形態】
【００３４】
以下、本発明の一実施の形態を図面を参照しつつ説明する。
【００３５】
図１は、本実施形態の無線タグ情報読み取り装置としての無線タグ情報通信装置１を備えた無線タグ生成システムを表すシステム構成図である。
【００３６】
図１に示すこの無線タグ生成システムＴＳにおいて、無線タグ情報通信装置１は、有線あるいは無線による通信回線ＮＷを介してルートサーバＲＳ、複数の情報サーバＩＳ、端末１１８ａ及び汎用コンピュータ１１８ｂに接続されている。なお、端末１１８ａ及び汎用コンピュータ１１８ｂを総称して以下適宜、単に「ＰＣ１１８」と称する。
【００３７】
図２は、上記無線タグ情報通信装置１の全体構造を表す斜視図である。
【００３８】
図２において、無線タグ情報通信装置１は、上記ＰＣ１１８からの操作に基づき、装置内においてラベル作成用無線タグ回路素子を備えたタグ媒体を用いて印字付き無線タグラベルの作成を行ったり、装置外部の情報取得用無線タグ回路素子から情報読み取り（取得）を行うものである。無線タグ情報通信装置１の処理モードとしては、上記の印字付き無線タグラベルの作成を行うためのラベル作成処理モード（書き込みモード）と、上記の情報取得用無線タグ回路素子の情報読み取りを行うための情報取得処理モード（読み取りモード）とがある。
【００３９】
無線タグ情報通信装置１は、外郭に略六面体（略立方体）形状の筐体２００を有する装置本体２と、この装置本体２の上面に開閉可能（又は着脱可能としてもよい）に設けられた開閉蓋３と、上記筐体２００の上側部複数箇所（この例では３箇所）に設けられた接続ポート２２４（接続部）に対してケーブル２２３を介し取り外し可能にそれぞれ接続され、操作者が携帯用（あるいは遠隔用）アンテナとして利用可能なアンテナユニット９，９′，９″とを有している。
【００４０】
装置本体２の筐体２００は、装置前方側（図２中、左手前側）に位置し、装置本体２内で作成された無線タグラベルＴ（後述）を外部に排出するラベル排出口１１を備えた前壁１０と、この前壁１０のうちラベル排出口１１の下方に設けられ下端が回動可能に支持された前蓋１２とを備えている。
【００４１】
前蓋１２は押部１３を備えており、この押部１３を上方より押し込むことで前蓋１２が前方に開放されるようになっている。また、前壁１０の一端部には、無線タグ情報通信装置１の電源のオン・オフを行う電源ボタン１４と、カッター駆動ボタン１６とが設けられている。カッター駆動ボタン１６は、装置本体２内に配設された切断機構１５（後述の図３参照）を操作者の手動操作で駆動するためのものである。このボタン１６が押されることで、印字済みタグラベル用テープ１０９（後述の図４参照）を所望の長さにカットして無線タグラベルＴを作成するようになっている。
【００４２】
開閉蓋３は、装置本体２の図２中右奥側の端部にて回動可能に軸支され、バネ等の付勢部材を介して常時開放方向に付勢されている。そして、装置本体２の上面に開閉蓋３に隣接するように配置された開閉ボタン４が押されることにより、開閉蓋３と装置本体２とのロックが解除され、上記付勢部材の作用により開放される。なお、開閉蓋３の中央側部には、透明カバーで覆われた透視窓５が設けられている。
【００４３】
アンテナユニット９，９″，９（以下適宜、「アンテナユニット９等」という）はそれぞれ筐体２０２を有している。この筐体２０２内には、装置１外の無線タグ回路素子Ｔo（詳細は後述）との間で無線通信を行うループアンテナＬＣ１，ＬＣ２，ＬＣ３（装置側アンテナ、図２には想像線で概念的に示す）がそれぞれ設けられている。各ループアンテナＬＣ１，ＬＣ２，ＬＣ３は、磁気誘導（電磁誘導、磁気結合、その他電磁界を介して行われる非接触方式を含む）により上記無線タグ回路素子Ｔoへのアクセス（情報読み取り又は情報書き込み）を行うようになっている。
【００４４】
また筐体２０２はこの例では略直方体形状であり、上面又は下面（この例では上面）２０２ａに対し上記ケーブル２２３の一端が接続固定されている。ケーブル２２３の他端は前述したように装置本体２の筐体２００に設けた接続ポート２２４に取り外し可能に接続されている。また、筐体２０２の側面２０２ｂ及びその反対側側面２０２ｃには、操作者が筐体２０２を把持するための把持部２３４が適宜の位置に設けられている。これにより、操作者がアンテナユニット９等を携帯型アンテナとして用いる際の把持性を向上できるようになっている。
【００４５】
ケーブル２３２は、アンテナユニット９等と装置本体２とを電気的に接続するためのものである。このケーブル２２３を介し、装置本体２の送信回路３１６Ａ，３１６Ｂ，３１６Ｃ及び受信回路３１７とアンテナユニット９等のループアンテナＬＣ１，ＬＣ２，ＬＣ３との信号の送受信が行われる（後述の図６参照）。
【００４６】
図３は、無線タグ情報通信装置１の内部の内部ユニット２０の構造（但し後述するループアンテナＬＣは省略）を表す斜視図である。図３において、内部ユニット２０は、概略的には、カートリッジ７を収納するカートリッジホルダ６と、印字ヘッド（サーマルヘッド）２３を備えた印字機構２１と、固定刃４０及び可動刃４１を備えた切断機構（切断手段）１５と、固定刃４０及び可動刃４１のテープ搬送方向下流側に位置し、ハーフカッタ３４を備えたカットユニット３５（半切断手段）とが設けられている。
【００４７】
カートリッジ７の上面には、例えば、カートリッジ７内に内蔵されている上記基材テープ１０１のテープ幅、テープの色等を表示するテープ特定表示部８が設けられている。また、カートリッジホルダ６には、ローラホルダ２５が支持軸２９により回動可能に枢支され、切換機構により印字位置（当接位置、後述の図４参照）とリリース位置（離反位置）とに切換可能とされている。このローラホルダ２５には、プラテンローラ２６及びテープ圧接ローラ２８が回転可能に配設されており、ローラホルダ２５が上記印字位置に切り換えられたときに、それらプラテンローラ２６及びテープ圧接ローラ２８が上記印字ヘッド２３及びテープ送りローラ２７に対し圧接されるようになっている。
【００４８】
印字ヘッド２３は多数の発熱素子を備えており、カートリッジホルダ６に立設されたヘッド取付部２４に取り付けられている。
【００４９】
切断機構１５は、固定刃４０と、金属部材で構成された可動刃４１とを備えている。カッターモータ４３（後述の図６参照）の駆動力が、カッターハスバギヤ４２、ボス５０、長孔４９を介して可動刃４１の柄部４６に伝達されて可動刃が回転し、固定刃４０とともにカット動作を行う。この切断状態は、カッターハスバギヤ用カム４２Ａの作用により切り替わるマイクロスイッチ１２６により検出される。
【００５０】
ハーフカットユニット３５は、受け台３８とハーフカッタ３４とが対向して配置され、さらにガイド固定部３６Ａにより第１ガイド部３６と第２ガイド部３７とが側板４４（後述の図４参照）に取り付けられている。ハーフカッタ３４は、所定の回動支点（図示せず）を中心として、ハーフカッタモータ１２９（後述の図６参照）の駆動力によって回動する。受け台３８の端部には受け面３８Ｂが形成されている。
【００５１】
図４は、図３に示した内部ユニット２０の構造を表す平面図である。図４において、上記カートリッジホルダ６は、カートリッジ７のテープ排出部３０より排出されさらに上記ラベル排出口１１から排出される印字済みタグラベル用テープ１０９の幅方向の向きが、鉛直上下方向となるようにカートリッジ７を収納する。
【００５２】
また、内部ユニット２０には、ラベル排出機構２２と、ラベル作成用のループアンテナＬＣが設けられている。
【００５３】
ループアンテナＬＣは、筐体２００の内部側に通信可能領域を備え、印字済みタグラベル用テープ１０９に備えられたラベル作成用無線タグ回路素子Ｔoに対し情報送受信可能に構成されている。
【００５４】
ラベル排出機構２２は、切断機構１５において切断された後の印字済みタグラベル用テープ１０９（言い換えれば無線タグラベルＴ、以下同様）をラベル排出口１１（図２参照）より排出するものである。すなわちラベル排出機構２２は、テープ排出モータ１２３（後述の図６参照）の駆動力により回転する駆動ローラ５１と、この駆動ローラ５１に対して印字済みタグラベル用テープ１０９を挟んで対向する押圧ローラ５２と、印字済みタグラベル用テープ１０９に設けられた識別マークＰＭ（後述の図５参照）を検出するマークセンサ１２７とを有している。このとき、上記ラベル排出口１１の内側には、印字済みタグラベル用テープ１０９をラベル排出口１１及びループアンテナＬＣへ案内するための第１案内壁５５，５６及び第２案内壁６３，６４が設けられている。第１案内壁５５，５６及び第２案内壁６３，６４はそれぞれ一体に形成され、上記固定刃４０と可動刃４１とでカットされた印字済みタグラベル用テープ１０９（無線タグラベルＴ）の排出位置において、互いに所定の間隔を隔てられるように配置されている。
【００５５】
なお、テープ送りローラ駆動軸（搬送手段）１０８及びリボン巻取りローラ駆動軸１０７は、印字済みタグラベル用テープ１０９及びインクリボン１０５（後述）の搬送駆動力をそれぞれ与えるものであり、互いに連動して回転駆動される。
【００５６】
図５は、上記カートリッジ７の詳細構造を模式的に表す拡大平面図である。図５において、カートリッジ７は、筐体７Ａと、この筐体７Ａ内に配置され帯状の基材テープ１０１が巻回された第１ロール１０２（実際は渦巻き状であるが、図では簡略的に同心円状に示す）と、上記基材テープ１０１と略同じ幅である透明な上記カバーフィルム１０３が巻回された第２ロール１０４（実際は渦巻き状であるが、図では簡略的に同心円状に示す）と、インクリボン１０５（熱転写リボン、但し被印字テープが感熱テープの場合は不要）を繰り出すリボン供給側ロール２１１と、印字後のリボン１０５を巻取るリボン巻取りローラ１０６と、カートリッジ７のテープ排出部３０の近傍に回転可能に支持されたテープ送りローラ２７とを有する。なお、上記基材テープ１０１と、基材テープ１０１にカバーフィルム１０２が貼り合わされた上記印字済みタグラベル用テープ１０９とが、タグ媒体を構成する。
【００５７】
テープ送りローラ２７は、上記基材テープ１０１と上記カバーフィルム１０３とを押圧し接着させ上記印字済みタグラベル用テープ１０９としつつ、図５中矢印Ａで示す方向にテープ送りを行う（＝圧着ローラとしても機能する）。
【００５８】
第１ロール１０２は、リール部材１０２ａの周りに、長手方向に複数のラベル作成用無線タグ回路素子Ｔoが所定の等間隔で順次形成された上記基材テープ１０１を巻回している。基材テープ１０１はこの例では４層構造となっており（図５中部分拡大図参照）、内側に巻かれる側（図５中右側）よりその反対側（図５中左側）へ向かって、適宜の粘着材からなる粘着層１０１ａ、ＰＥＴ（ポリエチレンテレフタラート）等から成る色付きのベースフィルム１０１ｂ、適宜の粘着材からなる粘着層１０１ｃ、剥離紙（剥離材）１０１ｄの順序で積層され構成されている。
【００５９】
ベースフィルム１０１ｂの裏側（図５中左側）には、ループコイル形状に構成され情報の送受信を行うタグ側アンテナ１５２がこの例では一体的に設けられており、これに接続するように情報を記憶するＩＣ回路部１５１が形成され、これらによってラベル作成用の無線タグ回路素子Ｔoが構成されている。
【００６０】
ベースフィルム１０１ｂの表側（図５中右側）には、後にカバーフィルム１０３を接着するための上記粘着層１０１ａが形成され、またベースフィルム１０１ｂの裏側（図５中左側）には、ラベル作成用無線タグ回路素子Ｔoを内包するように設けた上記粘着層１０１ｃによって上記剥離紙１０１ｄがベースフィルム１０１ｂに接着されている。
【００６１】
なお、上記剥離紙１０１ｄは、最終的にラベル状に完成した無線タグラベルＴが所定の商品等に貼り付けられる際に、これを剥がすことで粘着層１０１ｃにより当該商品等に接着できるようにしたものである。また、この剥離紙１０１ｄの表面には、各ラベル作成用無線タグ回路素子Ｔoに対応した所定の位置（この例では、搬送方向前方側のタグ側アンテナ１５２の先端よりさらに前方側の位置）に、搬送制御用の所定の識別マーク（この例では黒塗りの識別マーク。あるいはレーザ加工等により基材テープ１０１を貫通する孔を穿孔する等でもよい。又はトムソン型での加工穴等でもよい）ＰＭが設けられている。
【００６２】
第２ロール１０４は、リール部材１０４ａの周りに上記カバーフィルム１０３を巻回している。第２ロール１０４より繰り出されるカバーフィルム１０３は、その裏面側（すなわち上記基材テープ１０１と接着される側）に配置された上記リボン供給側ロール２１１及び上記リボン巻取りローラ１０６で駆動されるリボン１０５が、上記印字ヘッド２３に押圧されることで当該カバーフィルム１０３の裏面に当接させられるようになっている。
【００６３】
リボン巻取りローラ１０６及びテープ送りローラ２７は、それぞれカートリッジ７外に設けた例えばパルスモータである搬送用モータ１１９（図３及び後述の図６参照）の駆動力が図示しないギヤ機構を介し上記リボン巻取りローラ駆動軸１０７及びテープ送りローラ駆動軸（搬送手段）１０８に伝達されることによって連動して回転駆動される。なお、上記印字ヘッド２３は、テープ送りローラ２７よりカバーフィルム１０３の搬送方向上流側に配置されている。
【００６４】
上記構成において、上記第１ロール１０２より繰り出された基材テープ１０１は、テープ送りローラ２７へと供給される。一方、第２ロール１０４より繰り出されるカバーフィルム１０３は、その裏面側（すなわち上記基材テープ１０１と接着される側）に配置されリボン供給側ロール２１１とリボン巻取りローラ１０６とにより駆動されるインクリボン１０５が、上記印字ヘッド２３に押圧されて当該カバーフィルム１０３の裏面に当接させられる。
【００６５】
そして、カートリッジ７が上記カートリッジホルダ６に装着されロールホルダ２５が上記リリース位置から上記印字位置に移動されると、カバーフィルム１０３及びインクリボン１０５が印字ヘッド２３とプラテンローラ２６との間に狭持されるとともに、基材テープ１０１及びカバーフィルム１０３がテープ送りローラ２７と圧着ローラ２８との間に狭持される。そして、搬送用モータ１１９の駆動力によってリボン巻取りローラ１０６及びテープ送りローラ２７が図５中矢印Ｂ及び矢印Ｃで示す方向にそれぞれ同期して回転駆動される。このとき、前述のテープ送りローラ駆動軸１０８と上記圧着ローラ２８及びプラテンローラ２６はギヤ機構（図示せず）にて連結されており、テープ送りローラ駆動軸１０８の駆動に伴いテープ送りローラ２７、圧着ローラ２８及びプラテンローラ２６が回転し、第１ロール１０２から基材テープ１０１が繰り出され、上述のようにテープ送りローラ２７へ供給される。一方、第２ロール１０４からはカバーフィルム１０３が繰り出されるとともに、印刷駆動回路１２０（後述の図６参照）により印字ヘッド２３の複数の発熱素子が通電される。この結果、カバーフィルム１０３の裏面に、貼り合わせ対象となる基材テープ１０１上のラベル作成用無線タグ回路素子Ｔoに対応した印字Ｒ（後述の図８参照）が印刷される。そして、上記基材テープ１０１と上記印刷が終了したカバーフィルム１０３とが上記テープ送りローラ２７及び圧着ローラ２８により接着されて一体化されて印字済みタグラベル用テープ１０９として形成され、テープ排出部３０（図４参照）よりカートリッジ７外へと搬出される。カバーフィルム１０３への印字が終了したインクリボン１０５は、リボン巻取りローラ駆動軸１０７の駆動によりリボン巻取りローラ１０６に巻取られる。
【００６６】
そして、上述のように貼り合わされて生成された印字済みタグラベル用テープ１０９に対し上記ループアンテナＬＣによりラベル作成用の無線タグ回路素子Ｔoに情報読み取り又は書き込みが行われた後、自動的にあるいは上記カッター駆動ボタン１６（図２参照）を操作することにより切断機構１５によって印字済みタグラベル用テープ１０９が切断され、無線タグラベルＴが生成される。この無線タグラベルＴは、その後さらに上記ラベル排出機構２２によってラベル排出口１１（図２、図４参照）から排出される。
【００６７】
図６は、本実施形態の無線タグ情報通信装置１の制御系を表す機能ブロック図である。図６において、この無線タグ情報通信装置１の制御基板（図示せず）上には、制御回路１１０が配置されている。
【００６８】
制御回路１１０には、各機器を制御するＣＰＵ１１１と、このＣＰＵ１１１にデータバス１１２を介して接続された入出力インタフェース１１３と、ＣＧＲＯＭ１１４と、ＲＯＭ１１５，１１６と、ＲＡＭ１１７とが設けられている。
【００６９】
ＲＯＭ１１６には、上記ＰＣ１１８からの操作入力信号に対応させて、印字バッファのデータを読み出して上記印字ヘッド２３、搬送用モータ１１９、テープ排出モータ６５を駆動する印字駆動制御プログラム、印字終了した場合に印字済みタグラベル用テープ１０９を切断位置まで搬送用モータ１１９を駆動して搬送し、上記カッターモータ４３を駆動して印字済みタグラベル用テープ１０９を切断する切断駆動制御プログラム、切断された印字済みタグラベル用テープ１０９（＝無線タグラベルＴ）をテープ排出モータ６５を駆動してラベル排出口１１から強制的に排出するテープ排出プログラム、ラベル作成用又は情報取得用の無線タグ回路素子Ｔoに対する問いかけ信号や書き込み信号などのアクセス情報を生成して送信回路に出力する送信プログラム、受信回路から入力された応答信号などを処理する受信プログラム、その他無線タグ情報通信装置１の制御上必要な各種のプログラムが格納されている。ＣＰＵ１１１は、このようなＲＯＭ１１６に記憶されている各種プログラムに基づいて各種の演算を行う。
【００７０】
ＲＡＭ１１７には、テキストメモリ１１７Ａ、印字バッファ１１７Ｂ、パラメータ記憶エリア１１７Ｅ等が設けられている。テキストメモリ１１７Ａには、ＰＣ１１８から入力された文書データが格納される。印字バッファ１１７Ｂには、複数の文字や記号等の印字用ドットパターンや各ドットの形成エネルギ量である印加パルス数等がドットパターンデータとして格納され、印字ヘッド２３はこの印字バッファ１１７Ｂに記憶されているドットパターンデータに従ってドット印字を行う。パラメータ記憶エリア１１７Ｅには、各種演算データや、情報読み取り（取得）が行われた情報取得用の無線タグ回路素子Ｔo（前述）のタグ識別情報（タグＩＤ）等が記憶される。
【００７１】
入出力インタフェース１１３には、ＰＣ１１８と、印字ヘッド２３を駆動するための上記印刷駆動回路１２０と、搬送用モータ１１９を駆動するための搬送用モータ駆動回路１２１と、カッターモータ４３を駆動するためのカッターモータ駆動回路１２２と、ハーフカッタモータ１２９を駆動するためのハーフカッタモータ駆動回路１２８と、テープ排出モータ６５を駆動するためのテープ排出モータ駆動回路１２３と、識別マークＰＭを検出する上記マークセンサ１２７と、切替回路２３９Ａ，２３９Ｂとが接続されている。
【００７２】
切替回路２３９Ａには、アンテナＬＣに関わる１つの送信回路３０６と、アンテナＬＣ１，ＬＣ２，ＬＣ３に関わる３つの送信回路３１６Ａ，３１６Ｂ，３１６Ｃ（情報生成手段）とが選択的に（いずれか一方へ切り替え可能に）接続されている。送信回路３０６は、上記ループアンテナＬＣを介してラベル作成用の無線タグ回路素子Ｔoにアクセスする(読取り／書込みを行う)ための搬送波を発生させるとともに、上記制御回路１１０から入力される制御信号（図示省略）に基づいて上記搬送波を変調して質問波を出力する。送信回路３１６Ａ，３１６Ｂ，３１６Ｃは、図示しない搬送波発生手段により発生された、情報取得用の無線タグ回路素子Ｔoにアクセスする(読取りを行う)ための搬送波（すなわち共通の搬送波）を、上記制御回路１１０から個別にそれぞれ入力される制御信号（図示参照）に基づいて実質的に同じタイミングで（後述ステップＳ３１０及びステップＳ３３０参照）変調することにより（＝搬送波変調手段としての機能）、上記ループアンテナＬＣ１，ＬＣ２，ＬＣ３に対する質問波をそれぞれ生成して出力する。
【００７３】
切替回路２３９Ｂには、ループアンテナＬＣに関わる１つの受信回路３０７と、アンテナＬＣ１，ＬＣ２，ＬＣ３に関わる１つの受信回路３１７（情報処理手段）とが選択的に（いずれか一方へ切り替え可能に）接続されている。受信回路３０７は、上記制御回路１１０から入力される制御信号（図示省略）に基づき、ラベル作成用の無線タグ回路素子Ｔoから上記ループアンテナＬＣを介して受信された応答波（応答信号）の復調を行い、上記制御回路１１０に出力する。受信回路３１７は、上記制御回路１１０から入力される制御信号（図示参照）に基づき、情報取得用の無線タグ回路素子Ｔoから上記ループアンテナＬＣ１，ＬＣ２，ＬＣ３を介して受信された応答波（応答信号）の復調を行い、上記制御回路１１０に出力する。
【００７４】
そして、これら切替回路２３９Ａ，２３９Ｂは制御回路１１０からの制御信号に基づき互いに連動して切り替えられる。具体的には、制御回路１１０で処理モードとして上記書き込みモードが選択されているときは、入出力インターフェィス１１３とループアンテナＬＣに関わる送信回路３０７及び受信回路３０７とを接続する。処理モードとして上記読み取りモードが選択されているときは、入出力インターフェイス１１３とループアンテナＬＣ１，ＬＣ２，ＬＣ３に関わる送信回路３１６Ａ，３１６Ｂ，３１６Ｃ及び受信回路３１７とを接続する。
【００７５】
ループアンテナＬＣは、アンテナ共用器２４０を介して上記送信回路３０６及び上記受信回路３０７に接続されている。ループアンテナＬＣ１，ＬＣ２，ＬＣ３は、それぞれ上記ケーブル２２３及びアンテナ共用器２５０Ａ，２５０Ｂ，２５０Ｃを介し、上記送信回路３１６Ａ，３１６Ｂ、３１６Ｃ及び上記受信回路３１７に接続されている。
【００７６】
このような制御回路１１０を核とする制御系において、ＰＣ１１８を介して文字データ等が入力された場合、そのテキスト（文書データ）がテキストメモリ１１７Ａに順次記憶されるとともに、印字ヘッド２３が駆動回路１２０を介して駆動され、各発熱素子が１ライン分の印字ドットに対応して選択的に発熱駆動されて印字バッファ１１７Ｂに記憶されたドットパターンデータの印字を行い、これと同期して搬送用モータ１１９が駆動回路１２１を介してテープの搬送制御を行う。また、送信回路３０６（又は送信回路３１６Ａ，３１６Ｂ，３１６Ｃ）が制御回路１１０からの制御信号に基づき搬送波の変調制御を行い質問波を出力するとともに、受信回路３０７（又は受信回路３１７）は制御回路１１０からの制御信号に基づき復調した信号の処理を行う。
【００７７】
図７は、上記ラベル作成用又は情報取得用の無線タグ回路素子Ｔoの機能的構成を表す機能ブロック図である。この図７において、ラベル作成用又は情報取得用の無線タグ回路素子Ｔoは、無線タグ情報通信装置１側のループアンテナＬＣ（又はループアンテナＬＣ１〜ＬＣ３）と磁気誘導により非接触で信号の送受信を行う上記ループアンテナ１５２と、このループアンテナ１５２に接続された上記ＩＣ回路部１５１とを有している。
【００７８】
ＩＣ回路部１５１は、ループアンテナ１５２により受信された質問波を整流する整流部１５３と、この整流部１５３により整流された質問波のエネルギを蓄積し駆動電源とするための電源部１５４と、上記ループアンテナ１５２により受信された質問波からクロック信号を抽出して制御部１５５に供給するクロック抽出部１５６と、所定の情報信号を記憶し得るメモリ部１５７と、上記ループアンテナ１５２に接続された変復調部１５８と、上記整流部１５３、クロック抽出部１５６、及び変復調部１５８等を介して上記無線タグ回路素子Ｔoの作動を制御するための上記制御部１５５とを備えている。
【００７９】
変復調部１５８は、ループアンテナ１５２により受信された上記無線タグ情報通信装置１のループアンテナＬＣＣ（又はループアンテナＬＣ１〜ＬＣ３）からの通信信号の復調を行うと共に、上記制御部１５５からの応答信号に基づき、ループアンテナ１５２より受信された質問波を変調反射し応答波として返信する。
【００８０】
制御部１５５は、上記変復調部１５８により復調された受信信号を解釈し、上記メモリ部１５７において記憶された情報信号に基づいて返信信号を生成し、上記変復調部１５８により返信する制御等の基本的な制御を実行する。
【００８１】
図８は、上述のような構成である無線タグ情報通信装置１によりラベル作成用無線タグ回路素子Ｔoの情報書き込み（又は読み取り）及び印字済みタグラベル用テープ１０９の切断が完了し形成された無線タグラベルＴの外観の一例を表す図であり、図８（ａ）は上面図、図８（ｂ）は下面図である。また図９（ａ）は、図８中IXA−IXA′断面による横断面図を反時計方向に９０°回転させた図であり、図９（ｂ）は、図８中IXB−IXB′断面による横断面図を反時計方向に９０°回転させた図である。
【００８２】
これら図８及び図９において、無線タグラベルＴは、前述したように図５に示した４層構造にカバーフィルム１０３が加わった５層構造となっており、カバーフィルム１０３側（図９中上側）よりその反対側（図９中下側）へ向かって、カバーフィルム１０３、粘着層１０１ａ、ベースフィルム１０１ｂ、粘着層１０１ｃ、剥離紙１０１ｄで５層を構成している。そして、前述のようにベースフィルム１０１ｂの裏側に設けられたループアンテナ１５２を含むラベル作成用の無線タグ回路素子Ｔoがベースフィルム１０１ｂ及び粘着層１０１ｃ内に備えられるとともに、カバーフィルム１０３の裏面にラベル作成用の無線タグ回路素子Ｔoの記憶情報等に対応したラベル印字Ｒ（この例では無線タグラベルＴの種類を示す「ＲＦ−ＩＤ」の文字）が印刷されている。
【００８３】
また、カバーフィルム１０３、粘着層１０１ａ、ベースフィルム１０１ｂ、粘着層１０１ｃには、既に述べたように上記ハーフカッタ３４によってテープ幅方向に略沿ってハーフカット線ＨＣ（半切断部位。但しこの例では前ハーフカット線ＨＣ1及び後ハーフカット線ＨＣ2の２本）が形成されている。カバーフィルム１０３のうち、これらハーフカット線ＨＣ1，ＨＣ2の間に挟まれた領域がラベル印字Ｒが印刷される印字領域Ｓとなり、印字領域Ｓよりハーフカット線ＨＣ1，ＨＣ2を挟んでテープ長手方向両側がそれぞれ前余白領域Ｓ1及び後余白領域Ｓ2となっている。
【００８４】
上記のような基本構成である無線タグ情報通信装置１においては、前述したように、筐体２００内でラベル作成用の無線タグ回路素子Ｔoを用いて無線タグラベルＴを作成する書き込みモードと、装置１外部の情報取得用の無線タグ回路素子から情報読み取り（取得）を行う読み取りモードとを実行可能である。すなわち、書き込みモードでは、ラベル作成用無線タグ回路素子Ｔoを備えた基材テープ１０１がテープ送りローラ２７で搬送され、ループアンテナＬＣを介しラベル作成用無線タグ回路素子Ｔoに対し情報送受信が行われ、無線タグラベルＴが作成される。一方、読み取りモードでは、アンテナユニット９，９′，９″に備えられた情報取得用のループアンテナＬＣ１，ＬＣ２，ＬＣ３を介し筐体２００の外部に位置する情報取得用無線タグ回路素子Ｔoと情報送受信が行われることで所定の無線タグ情報が読み取られ、取得される。
【００８５】
図１０は、上記制御回路１１０によって実行される制御手順を表すフローチャートである。このフローは、例えば無線タグ情報通信装置１の電源が投入されたときに開始される。
【００８６】
この図１０において、まずステップＳ１で、入出力インターフェース１１３を介しＰＣ１１８からラベル作成指示が入力されたか否かを判定する。ラベル作成指示入力があった場合、ステップＳ１の判定が満たされてステップＳ１００の書き込みモード処理に移り、ラベル作成指示がなかった場合、ステップＳ１の判定が満たされず、ステップＳ３００の読み取りモード処理に移る（モード切替手段）。
【００８７】
書き込みモード処理とは、無線タグ情報通信装置１で、主として、上記のラベル作成用の無線タグ回路素子Ｔoに対し無線タグ情報を送信しＩＣ回路部１５１に書き込みを行って無線タグラベルＴを作成する場合（後述の図１１参照）の動作モードである（なお、読み取り専用の無線タグ回路素子Ｔoを用いてラベル作成を行う後述の変形例においては、予め所定の無線タグ情報が書き換え不可に記憶保持されている読み取り専用の無線タグ回路素子Ｔoから無線タグ情報を読み取りながら、これに対応する印字を行って無線タグラベルＴを作成する場合も含む）。また、読み取りモード処理とは、無線タグ情報通信装置１を、装置外の無線タグラベルＴ等に備えられた上記情報取得用の無線タグ回路素子Ｔoから無線タグ情報を読み取るリーダとして用いる動作モードである。
【００８８】
上記ステップＳ１００又はステップＳ３００を実行したら、このフローを終了する。
【００８９】
図１１は、上記ステップＳ１００の書き込みモード処理の詳細手順を表すフローチャートである。
【００９０】
まずステップＳ１０３において、後述する図１４において説明する割り込み読み取り処理の実行開始のためのフラグＦｒ＝１とする。
【００９１】
次に、ステップＳ１０５で、ＰＣ１１８からの操作信号に基づき印刷データや無線タグ回路素子Ｔoとの通信データ、前・後ハーフカット位置やフルカット位置の設定等を行なう準備処理を実行する。
【００９２】
次に、ステップＳ１１０において、ループアンテナＬＣからラベル作成用の無線タグ回路素子Ｔoへ通信を行う際、無線タグ回路素子Ｔoからの応答がない場合に通信再試行（リトライ）を行う回数（アクセス試行回数）をカウントする変数Ｍ、Ｎと、通信が成功したかどうかをあらわすフラグＦをそれぞれ０に初期化設定する。
【００９３】
その後、ステップＳ１１５に移り、入出力インターフェース１１３を介し搬送用モータ駆動回路１２１に制御信号を出力し、搬送用モータ１２１の駆動力によってテープ送りローラ２７及びリボン巻取りローラ１０６を回転駆動させる。さらに、テープ排出モータ駆動回路１２３を介してテープ排出モータ６５に制御信号を出力し、駆動ローラ５１を回転駆動させる。これらにより、第１ロール１０２から基材テープ１０１が繰り出されテープ送りローラ２７へ供給されるとともに、第２ロール１０４からはカバーフィルム１０３が繰り出され、これら基材テープ１０１とカバーフィルム１０３とが上記テープ送りローラ２７及びサブローラ１０９により接着されて一体化されて印字済タグラベル用テープ１０９として形成され、カートリッジ７外方向からさらに無線タグ情報通信装置１外方向へと搬送される。
【００９４】
その後、ステップＳ１２０において、入出力インターフェース１１３を介し入力されたマーク検出センサ１２７の検出信号に基づき、基材テープ１０１の上記識別子ＰＭが検出されたかどうか（言い換えればカバーフィルム１０３が印字ヘッド２３による印刷開始位置まで到達したかどうか）を判定する。識別子ＰＭが検出されるまで判定が満たされずこの手順を繰り返し、検出されたら判定が満たされて次のステップＳ１２５に移る。
【００９５】
ステップＳ１２５では、入出力インターフェース１１３を介し印刷駆動回路１２０に制御信号を出力し、印字ヘッド２３を通電して、カバーフィルム１０３のうち前述した印字領域Ｓ（＝基材テープ１０１に所定ピッチで等間隔で配置されたラベル作成用の無線タグ回路素子Ｔoの裏面にほぼ貼り合わせることとなる領域）に、ステップＳ１０５で生成した印刷データに対応した文字、記号、バーコード等のラベル印字Ｒの印刷を開始する。
【００９６】
その後、ステップＳ１３０において、印字済タグラベル用テープ１０９が先のステップＳ１０５で設定した前ハーフカット位置まで搬送されたかどうか（言い換えればハーフカット機構３５のハーフカッタ３４がステップＳ１０５で設定した前ハーフカット線ＨＣ1に正対する位置まで印字済みタグラベル用テープ１０９が到達したかどうか）を判定する。このときの判定は、例えば、上記ステップＳ１２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。前ハーフカット位置に到達するまで判定が満たされずこの手順を繰り返し、到達したら判定が満たされて次のステップＳ１３５に移る。
【００９７】
ステップＳ１３５では、入出力インターフェース１１３を介し搬送用モータ駆動回路１２１及びテープ排出モータ駆動回路１２３に制御信号を出力し、搬送用モータ１１９及びテープ排出モータ６５の駆動を停止して、テープ送りローラ２７、リボン巻取りローラ１０６、駆動ローラ５１の回転を停止する。これにより、カートリッジ７から繰り出された印字済タグラベル用テープ１０９が排出方向に移動する過程で、ステップＳ１０５で設定した前ハーフカット線ＨＣ1にハーフカット機構３５のハーフカッタ３４が正対した状態で、第１ロール１０２からの基材テープ１０１の繰り出し、第２ロール１０４からのカバーフィルム１０３の繰り出し、及び印字済みタグラベル用テープ１０９の搬送が停止する。またこのとき、入出力インターフェース１１３を介し印刷駆動回路１２０にも制御信号を出力し、印字ヘッド２３の通電を停止して、上記ラベル印字Ｒの印刷を停止（印刷中断）する。
【００９８】
その後、ステップＳ１４０で、入出力インターフェース１１３を介しハーフカッタモータ駆動回路１２８に制御信号を出力してハーフカッタモータ１２９を駆動し、ハーフカッタ３４を回動させて、印字済タグラベル用テープ１０９のカバーフィルム１０３、粘着層１０１ａ、ベースフィルム１０１ｂ、及び粘着層１０１ｃを切断して前ハーフカット線ＨＣ1を形成する前ハーフカット処理を行う。
【００９９】
そして、ステップＳ１４５に移り、上記ステップＳ１１５と同様にしてテープ送りローラ２７、リボン巻取りローラ１０６、駆動ローラ５１を回転駆動させて印字済タグラベル用テープ１０９の搬送を再開するとともに、ステップＳ１２５と同様にして印字ヘッド２３に通電してラベル印字Ｒの印刷を再開する。
【０１００】
その後、ステップＳ１５０において、搬送される印字済タグラベル用テープ１０９が所定値（例えば、対応する印字が施されたカバーフィルム１０３が貼り合わされたラベル作成用の無線タグ回路素子Ｔoが上記ループアンテナＬＣに到達するだけの搬送距離）だけ搬送されたかどうかを判断する。このときの搬送距離判定も、上記ステップＳ１３０と同様に、パルスモータである搬送用モータ１１９を駆動する搬送用モータ駆動回路１２１の出力するパルス数をカウントする等により行えば足りる。
【０１０１】
次のステップＳ２００では、タグアクセス処理を行う。すなわち、ラベル作成用の無線タグ回路素子Ｔoの通信位置（無線タグ回路素子ＴoがループアンテナＬＣと正対する位置）まで搬送したら搬送及び印字を停止して情報送受信を行い、その後搬送及び印字を再開して印字を完了させ、さらに搬送して後ハーフカット位置で搬送を停止して後ハーフカット線ＨＣ2の形成を行う（後述の図１２参照）。
【０１０２】
以上のようにしてステップＳ２００が終了したら、ステップＳ１５５に移る（なおこの時点でステップＳ２００において印字済みタグラベル用テープ１０９の搬送が再開されている。後述を参照）。ステップＳ１５５では、印字済タグラベル用テープ１０９が前述したフルカット位置まで搬送されたかどうか（言い換えれば切断機構１５の可動刃４１がステップＳ１で設定した切断線ＣＬに正対する位置まで印字済みタグラベル用テープ１０９が到達したかどうか）を判定する。このときの判定も、前述と同様、例えば、上記ステップＳ１２０において基材テープ１０１の識別子ＰＭを検出した後の搬送距離を所定の公知の方法で検出すればよい（パルスモータである搬送用モータ１１９を駆動する搬送用モータ駆動回路１２１の出力するパルス数をカウントする等）。フルカット位置に到達するまで判定が満たされずこの手順を繰り返し、到達したら判定が満たされて次のステップＳ１６０に移る。
【０１０３】
ステップＳ１６０では、上記ステップＳ１３５と同様にして、テープ送りローラ２７、リボン巻取りローラ１０６、駆動ローラ５１の回転を停止して印字済タグラベル用テープ１０９の搬送を停止する。これにより、ステップＳ１０５で設定した切断線ＣＬに切断機構１５の可動刃４１が正対した状態で、第１ロール１０２からの基材テープ１０１の繰り出し、第２ロール１０４からのカバーフィルム１０３の繰り出し、及び印字済みタグラベル用テープ１０９の搬送が停止する。
【０１０４】
その後、ステップＳ１６５でカッタモータ駆動回路１２２に制御信号を出力してカッターモータ４３を駆動し、切断機構１５の可動刃４１を回動させて、印字済タグラベル用テープ１０９のカバーフィルム１０３、粘着層１０１ａ、ベースフィルム１０１ｂ、粘着層１０１ｃ、及び剥離紙１０１ｄをすべて切断（分断）して切断線ＣＬを形成するフルカット処理を行う。この切断機構１５による分断によって印字済みタグラベル用テープ１０９から切り離され、無線タグ回路素子Ｔoへ無線タグ情報が書き込まれかつこれに対応する所定の印字が行われたラベル状の無線タグラベルＴが生成される。
【０１０５】
その後、ステップＳ１７０に移り、入出力インターフェース１１３を介してテープ排出モータ駆動回路１２３に制御信号を出力し、テープ排出モータ６５の駆動を再開して、駆動ローラ５１を回転させる。これにより、駆動ローラ５１による搬送が再開されて上記ステップＳ１６５でラベル状に生成された無線タグラベルＴがラベル排出口１１へ向かって搬送され、ラベル排出口１１から無線タグ情報通信装置１外へと排出し、このフローを終了する。
【０１０６】
図１２は、上述したステップＳ２００のタグアクセス処理の詳細手順を表すフローチャートである。
【０１０７】
まずステップＳ２１０において、印字済タグラベル用テープ１０９が前述したループアンテナＬＣとの通信位置まで搬送されたかどうかを判定する。このときの判定も、前述した図１１のステップＳ１３０と同様、例えば、上記ステップＳ１２０において基材テープ１０１の識別子ＰＭを検出した後の搬送距離を所定の公知の方法で検出すればよい。通信位置に到達するまで判定が満たされずこの手順を繰り返し、到達したら判定が満たされて次のステップＳ２２０に移る。
【０１０８】
ステップＳ２２０では、上記ステップＳ１３５と同様にして、テープ送りローラ２７、リボン巻取りローラ１０６、駆動ローラ５１の回転を停止し、ラベル作成用の無線タグ回路素子ＴoにループアンテナＬＣが略正対した状態で印字済みタグラベル用テープ１０９の搬送が停止する。また、印字ヘッド２３の通電を停止して、上記ラベル印字Ｒの印刷を停止（中断）する。
【０１０９】
そして、ステップＳ２２３に移り、上記ステップＳ２１０の判定結果に応じ、上記通信位置に到達したかどうかを表すフラグＦｓ＝１とする（これによって後述のように割り込み読み取り処理がいったん中断する）。
【０１１０】
その後、ステップＳ２２５において、切替回路２３９Ａ，２３９Ｂに制御信号を出力して切替回路２３９Ａ，２３９Ｂを切り替え、送信回路３０６及び受信回路３０７と入出力インターフェース１１３とを接続させる。
【０１１１】
その後、ステップＳ４００に移り、アンテナＬＣとラベル作成用の無線タグ回路素子Ｔoとの間で無線通信により情報の送受信を行い、その無線タグ回路素子ＴoのＩＣ回路部１５１に対し図１１の上記ステップＳ１０５で作成した情報を書き込む（又は後述の読み取り専用無線タグ回路素子Ｔoを用いる変形例ではＩＣ回路部に予め記憶されていた情報を読み取る）情報送受信処理を行う（詳細は後述の図１３参照）。
【０１１２】
その後、ステップＳ２３０に移り、上記ステップＳ４００において情報送受信に成功したかどうかを判定する。具体的にはステップＳ４００において通信失敗時には上記フラグＦ＝１となっているはずであることから（後述の図１３のステップＳ４３７参照）、Ｆ＝０であるかどうかを判定する。
【０１１３】
Ｆ＝１である場合、判定が満たされず、当該ラベル作成用の無線タグ回路素子Ｔoに対する通信が失敗したとみなされステップＳ７００に移り、当該通信失敗をラベル上で操作者に報知するためのエラー処理（例えば、上記通信エラーに対応した別態様印字Ｒ′（例えば「ＮＧ」の文字）を印刷する等）を行い、このルーチンを終了する。
【０１１４】
一方、Ｆ＝０である場合、判定が満たされ、当該ラベル作成用の無線タグ回路素子Ｔoに対する通信は成功したとみなされてステップＳ２３５に移る。
【０１１５】
ステップＳ２３５では、上記割り込み読み取り処理の実行開始のためのフラグＦｒ＝１とする（これによって上記のようにいったん中断した割り込み読み取り処理が再び再開される）。
【０１１６】
その後、ステップＳ２４０において、図１１のステップＳ１４５と同様にして、テープ送りローラ２７、リボン巻取りローラ１０６、駆動ローラ５１を回転駆動させて印字済タグラベル用テープ１０９の搬送を再開するとともに、印字ヘッド２３に通電してラベル印字Ｒの印刷を再開する。
【０１１７】
その後、ステップＳ２５０に移り、印字済タグラベル用テープ１０９が前述した印刷終了位置（上記図１１のステップＳ１０５で算出）まで搬送されたかどうかを判定する。このときの判定も、前述と同様、例えば、上記ステップＳ１２０において基材テープ１０１の識別子ＰＭを検出した後の搬送距離を所定の公知の方法で検出すればよい。印刷終了位置に到達するまで判定が満たされずこの手順を繰り返し、到達したら判定が満たされて次のステップＳ２６０に移る。
【０１１８】
ステップＳ２６０では、上記図１１のステップＳ１３５と同様にして、印字ヘッド２３の通電を停止して、上記ラベル印字Ｒの印刷を停止する。これによって、印字領域Ｓに対するラベル印字Ｒの印刷が完了する。
【０１１９】
その後、ステップＳ５００に移り、所定の後ハーフカット位置まで搬送した後にハーフカットユニット３５のハーフカッタ３４によって後ハーフカット線ＨＣ2の形成を行う後ハーフカット処理を行う。以上によりこのルーチンを終了する。
【０１２０】
図１３は、上述したステップＳ４００の詳細手順を表すフローチャートである。なおこの例では、前述の情報書き込み及び情報読み取りのうち、情報書込みを例にとって説明する。
【０１２１】
図１３において、まずステップＳ４０５で、入出力インターフェース１１３を介し前述の送信回路３０６に制御信号を出力して所定の変調を行った質問波を生成し、ラベル作成用の無線タグ回路素子Ｔoの記憶されたＩＤ情報を取得するための、問合せコマンド信号（この例ではタグＩＤ読取コマンド信号）として、ループアンテナＬＣを介して書き込み対象のラベル作成用の無線タグ回路素子Ｔoに送信する。これにより、ラベル作成用の無線タグ回路素子Ｔoの上記メモリ部１５７を初期化する。
【０１２２】
その後、ステップＳ４１５において、上記タグＩＤ読取コマンド信号に対応して書き込み対象のラベル作成用の無線タグ回路素子Ｔoから送信されたリプライ信号（タグＩＤを含む）をループアンテナＬＣを介して受信し、受信回路３０７及び入出力インターフェース１１３を介し取り込む。
【０１２３】
次に、ステップＳ４２０において、上記受信したリプライ信号に基づき、当該ラベル作成用の無線タグ回路素子ＴoのタグＩＤが正常に読み取れたか否かを判定する。
【０１２４】
判定が満たされない場合はステップＳ４２５に移ってＭに１を加え、さらにステップＳ４３０においてＭ＝５かどうかが判定される。Ｍ≦４の場合は判定が満たされずステップＳ４０５に戻り同様の手順を繰り返す。Ｍ＝５の場合はステップＳ４３５に移り、エラー表示信号を入出力インターフェース１１３を介し上記ＰＣ１１８へ出力し、対応する書き込み失敗（エラー）表示を行わせる。そして、さらにステップＳ４３７でフラグＦ＝１としてこのルーチンを終了する。このようにして初期化が不調でも５回までは再試行が行われる。
【０１２５】
ステップＳ４２０の判定が満たされた場合、ステップＳ４４０に移り、送信回路３０６に制御信号を出力して所定の変調を行い、ステップＳ４１５にて読み取ったタグＩＤを指定して該当するタグに所望のデータをメモリ部１５７に書き込む信号（この例ではWriteコマンド信号）として、所定の変調を行った質問波をループアンテナＬＣを介して情報書き込み対象のラベル作成用の無線タグ回路素子Ｔoに送信し、情報を書き込む。
【０１２６】
その後、ステップＳ４４５において、送信回路３０６に制御信号を出力して所定の変調を行い、ステップＳ４１５にて読み取ったタグＩＤを指定して該当するタグのメモリ部１５７に記録されたデータを読み出す信号（この例ではRead コマンド信号）として、ループアンテナＬＣを介して情報書き込み対象のラベル作成用の無線タグ回路素子Ｔoに送信し、返信を促す。その後ステップＳ４５０において、上記Readコマンド信号に対応して書き込み対象のラベル作成用無線タグ回路素子Ｔoから送信されたリプライ信号をループアンテナＬＣを介して受信し、受信回路３０７を介し取り込む。
【０１２７】
次に、ステップＳ４５５において、上記受信したリプライ信号に基づき、当該ラベル作成用の無線タグ回路素子Ｔoのメモリ部１５７内に記憶された情報を確認し、公知の誤り検出符号（ＣＲＣ符号；Cyclic  Redundancy  Check等）を用いて、前述の送信した所定の情報がメモリ部１５７に正常に記憶されたか否かを判定する。
【０１２８】
判定が満たされない場合はステップＳ４６０に移ってＮに１を加え、さらにステップＳ４６５においてＮ＝５かどうかが判定される。Ｎ≦４の場合は判定が満たされずステップＳ４４０に戻り同様の手順を繰り返す。Ｎ＝５の場合は前述したステップＳ４３５に移り、同様にＰＣ１１８に対応する書き込み失敗（エラー）表示を行わせ、ステップＳ４３７でＦ＝１としてこのルーチンを終了する。このようにして情報書き込みが不調でも５回までは再試行が行われる。
【０１２９】
ステップＳ４５５の判定が満たされた場合、ステップＳ４７０に移り、送信回路３０６に制御信号を出力し、ステップＳ４１５にて読み取ったタグＩＤを指定して該当するタグのメモリ部１５７に記録されたデータの上書きを禁止する信号（この例ではロックコマンド信号）として所定の変調を行った質問波をループアンテナＬＣを介して情報書き込み対象のラベル作成用の無線タグ回路素子Ｔoに送信し、当該無線タグ回路素子Ｔoへの新たな情報の書き込みを禁止する。これにより、書き込み対象とするラベル作成用の無線タグ回路素子Ｔoへの無線タグ情報の書き込みが完了する。
【０１３０】
その後、ステップＳ４８０に移り、上記ステップＳ４４０でラベル作成用無線タグ回路素子Ｔoに書き込まれた情報と、これに対応して既に印字ヘッド２３により印字領域Ｓに印字されるラベル印字Ｒの印字情報との組み合わせを、入出力インターフェース１１３及び通信回線ＮＷを介し出力され、情報サーバＩＳやルートサーバＲＳに記憶される。なお、この記憶データは必要に応じてＰＣ１１８より参照可能に例えば各サーバＩＳ，ＲＳのデータベース内に格納保持される。以上により、このルーチンを終了する。
【０１３１】
図１４は、上記書き込みモードでありながらも、アンテナユニット９を用い無線タグ情報通信装置１をリーダとして使用可能な、ＣＰＵ１１Ａの実行する割り込み読み取り処理の詳細手順を表すフローチャートである。つまり、図１１の書き込みモード処理が動作している際に、この図１４の割り込み読み取り処理も同時に並行して動作していることになる（このような同時並行処理は、例えば、コンピュータのＯＳ等でしばしば行われる、「マルチタスク処理」と同様の公知の方式により、１つのＣＰＵ１１１ａに行わせることができる）。
【０１３２】
図１４において、まず、ステップＳ３０１で、前述した割り込み読み取り処理の実行開始のためのフラグＦｒ（以下適宜、割り込みフラグという）、情報が読み取れたかどうかを表すフラグＦｅ（以下適宜、読み取りフラグという）、及び、印字済タグラベル用テープ１０９がループアンテナＬＣとの通信位置まで搬送されて到達したかどうかを表すフラグＦｓ（以下適宜、到達フラグという）を０に初期化する。
【０１３３】
その後、ステップＳ３０２に移り、上記割り込みフラグＦｒ＝１であるか（印字済みタグラベル用テープ１０９の第２無線タグ回路素子Ｔoが通信位置に達したか）どうかを判定する。最初はＦｒ＝０であるからこの判定が満たされず、ステップＳ３０２を繰り返してそのまま待機する。前述した図１１のステップＳ１０３又は図１２のステップＳ２３５で割り込みフラグＦｒ＝１となると、このステップＳ３０２の判定が満たされ、ステップＳ３０３に移る。
【０１３４】
ステップＳ３０３では、全てのユニット９，９′，９″を用いた情報読み取りが完了したかを表す全読み取りフラグＦｅが１であるか（割り込み読み取り処理により情報取得用の無線タグ回路素子Ｔoからの情報読み取りが完了したか）どうかを判定する。上記ステップＳ１０３により割り込みフラグＦｒ＝１となっていた場合は割り込み読み取り処理がまだ実行されず情報読み取りが完了していないことから判定が満たされず、ステップＳ３０５に移る。
【０１３５】
ステップＳ３０５では、前述のステップＳ２２５と同様、切替回路２３９Ａ，２３９Ｂに制御信号を出力してそれら切替回路２３９Ａ，２３９Ｂを連動して切り替え、入出力インターフェース１１３と送信回路３１６Ａ，３１６Ｂ，３１６Ｃ及び受信回路３１７とを接続させる。
【０１３６】
その後、ステップＳ３１０に移り、アンテナユニット９等のうち１つのユニットに備えられた送信回路（例えば３１６Ａ）に対して（例えば図示しないクロック信号等に同期した、当該アンテナユニットに対応したタイムスロットの開始とともに）制御信号を出力し、搬送波に所定の変調を行う。これにより、無線タグ回路素子Ｔoに記憶された情報を取得するための、取得処理コマンド信号としての問合せコマンド信号を生成し、対応するループアンテナ（上記の例ではＬＣ１）を介し、当該アンテナの通信範囲にある情報取得用の無線タグ回路素子Ｔoに送信し、返信を促す。そして、次のステップＳ３３０で、アンテナユニット９等のうち残りのユニットに備えられた送信回路（上記の例では３１６Ｂと３１６Ｃ）に対しても制御信号を出力し、搬送波に所定の変調を行う。これにより、無線タグ回路素子Ｔoを休眠化するための休眠化処理コマンド信号（非応答化処理コマンド信号）を生成し、ループアンテナ（上記の例ではＬＣ２及びＬＣ３）を介し、当該アンテナの通信範囲にある情報取得用の無線タグ回路素子Ｔoに送信する。なお、アンテナユニット９，９″，９″等のうちいずれにおいて問合わせコマンド信号を送信するかは、この手順を実行するたびに、例えば予め定められた所定の順序に沿いつつ、ユニットを切り替えていく（後述のステップＳ３３９参照）。すなわち、本実施形態では、ＣＰＵ１１１Ａからの制御信号に基づき、送信回路３１６Ａ，３１６Ｂ，３１６Ｃが、時分割した所定の占有期間（タイムスロット）毎に、アンテナユニット９，９′，９″に対するコマンド信号（アクセス情報）を切り替えて（１つのユニットが問合せコマンド信号、残りが休眠化処理コマンド信号）出力し、タイムシェアリング方式でそれらアンテナユニット９，９′，９″を同時に作動させて読み取りを行う（後述の図１６参照）。
【０１３７】
その後、ステップＳ３４０において、上記ステップＳ３１０で送信された問合せコマンド信号に対応して情報取得用の無線タグ回路素子Ｔoからリプライ信号が送信され、当該リプライ信号がループアンテナＬＣ１（又はＬＣ２若しくはＬＣ３）及び受信回路３１７を介し受信され取り込まれたかどうかを判定する。リプライ信号を受信していない場合、判定が満たされずステップＳ３３５に移り、上記到達フラグＦｓ＝１であるかどうかを判定する。印字済みタグラベル用テープ１０９がループアンテナＬＣとの通信位置まで到達するまではこの判定は満たされず、ステップＳ３３７へ移る。ステップＳ３３７では前述したようにして当該アンテナユニット９等に対応して開始されているタイムスロットがもう終了したかどうかを判定する。まだタイムスロットが終了していなければ判定が満たされずステップＳ３１０に戻り、同様の手順を（アンテナユニット９，９″，９″等のうちいずれが問合せコマンド信号でいずれが休眠化処理コマンド信号かを変えることなく）それら２つのコマンド信号の送信から繰り返す。一方タイムスロットが終了したらステップＳ３３７の判定が満たされ、ステップＳ３３９でアンテナユニット９，９″，９″等のうち問合せコマンド信号の送信を割り当てるユニットを次の順番のものに切り替えて（＝順番切替処理）、ステップＳ３１０に戻る。そして、（今回の問合せコマンド信号の割り当てのアンテナユニット９等に対応したタイムスロットの開始に連動して）当該今回順序の１つのアンテナユニット９等より問い合わせコマンド信号を送信する（なお前回休眠化処理コマンド信号を送信していた場合には、上記問合せコマンド信号に先だって再び情報読み取り可能に立ち上げるための活性化処理コマンド信号を予め送信して活性化しておく。以下同様）。そして、以降同様の手順を繰り返す。
【０１３８】
一方、ステップＳ３４０でリプライ信号が受信されたら判定が満たされてステップＳ３５０に移る。ステップＳ３５０では、読み取り対象である情報取得用の無線タグ回路素子Ｔoから取得した無線タグ情報を、まず一時的に適宜の記憶手段（例えばＲＡＭ１１７等）に記憶させる。なおこのとき取得された無線タグ情報には、例えばアンテナＬＣ１〜ＬＣ３よりアンテナ共用器２５０Ａ〜２５０Ｃを介し受信回路３１７で処理されるときに、いずれのアンテナで（言い換えればいずれのアンテナユニット）で受信されたものであるかの識別子が付与されており、当該アンテナを特定できるようになっている（アンテナ特定手段）。その後、自動的に記憶手段から読み出された無線タグ情報は、例えば入出力インターフェース１１３及び通信回線ＮＷを介し出力され、情報サーバＩＳやルートサーバＲＳに記憶される。この記憶データは必要に応じてＰＣ１１８より参照可能に例えば各サーバＩＳ，ＲＳのデータベース内に格納保持される。
【０１３９】
その後、ステップＳ３５１では、接続されているすべてのアンテナユニット９等において対応する無線タグ回路素子Ｔoの読み取りが終了したかどうかを判定する。全てのアンテナユニット９等の読み取りがまだ終了していなければ判定が満たされず、ステップＳ３５２で上記ステップＳ３３９と同様の問合せコマンド信号の送信を割り当てるユニットを次の順番のものに切り替え（＝順番切替処理）た後、ステップＳ３１０に戻って同様の手順を繰り返す。全ユニットについて読み取りが終了していればステップＳ３５１の判定が満たされ、ステップＳ３５３に移る。
【０１４０】
ステップＳ３５３では、ステップＳ３５１での全ユニット割り込み読み取り処理の完了判定に対応して上記全読み取りフラグＦｅ＝１とし、さらに上記ステップＳ３５５でフラグＦｒ＝０に戻し、上記ステップＳ３０２に戻って前述と同様のＦｒ＝１の待ち状態に戻る。
【０１４１】
一方、前述のステップＳ３０２において、前述のようにすべてのアンテナユニット９等に対し読み取り処理が完了し情報が取得されている場合には、ステップＳ３５３で全読み取りフラグＦｅ＝１とされていることから、上記ステップＳ３０３の判定が満たされてステップＳ３５５へと移り、Ｆｒ＝０として再びステップＳ３０２へ戻る。これに対し、既に一度実行された上記割り込み読み取り処理においてリプライ信号が受信されず情報が取得されていない場合（読み取りが完了しないままステップＳ３３５の判定が満たされてステップＳ３５５へと移行した場合）はステップＳ３５３を通らず読み取りフラグＦｅ＝１とされていないことから、ステップＳ３０３の判定が満たされずステップＳ３０５に移り、再びステップＳ３０５以降の情報読み取りの手順を実行する。
【０１４２】
以上のようにして、書き込みモード処理において、まずステップＳ１０３で割り込みフラグＦｒ＝１とすることで情報取得用の無線タグ回路素子Ｔoへの割り込み読み取り処理を開始し、印字済みタグラベル用テープ１０９の搬送によりラベル作成用の無線タグ回路素子Ｔoが通信位置に到達して情報書き込みを開始するまで読み取り処理を実行する。そして、通信位置に到達したらステップＳ２２３で到達フラグＦｓ＝１とすることでステップＳ３３５より情報取得用の無線タグ回路素子Ｔoへの読み取り処理を中断する。その後ラベル作成用の無線タグ回路素子Ｔoへの情報書き込みが終了したらステップＳ２３５で再び割り込みフラグＦｒ＝１とすることで情報取得用の無線タグ回路素子Ｔoへの割り込み読み取り処理を再開する。またこのとき、あるアンテナユニット９等に割り当てられたタイムスロットの間は、リプライ信号が受信されるまでは問合せコマンド信号の送信を繰り返し、受信しない間にタイムスロットが終了したら次のタイムスロットで次のアンテナユニット９等について同様の手順を行い、これらを繰り返してすべてのアンテナユニット９等に関する情報読み取りが完了したらこのルーチンを終了する。
【０１４３】
図１５は、アンテナユニット９を用いて無線タグ情報通信装置１をリーダとして使用する読み取りモードにおいて実行される、上記ステップＳ３００の読み取りモード処理の詳細手順を表すフローチャートである。図１４と同等の手順には同一の符号を付し、適宜説明を省略又は簡略化する。
【０１４４】
図１５において、まず、上記図１４と同様のステップＳ３０５で、切替回路２３９Ａ，２３９Ｂを切り替え、入出力インターフェース１１３と送信回路３１６Ａ，３１６Ｂ，３１６Ｃ及び受信回路３１７とを接続させる。
【０１４５】
その後、上記図１４と同様のステップＳ３１０及びステップＳ３３０で、アンテナユニット９等のうち１つのユニットの送信回路３１６Ａ等で問合せコマンド信号を生成して送信し、残りのアンテナユニットの送信回路３１６Ｂ，３１６Ｃ等で休眠化処理コマンド信号を生成して送信する。
【０１４６】
その後、前述同様のステップＳ３４０に移り、情報取得用の無線タグ回路素子Ｔoからリプライ信号を受信したかどうかを判定する。受信していない場合はステップＳ３３７でタイムスロットが終了していなければステップＳ３１０に戻り、同様の手順を繰り返す。タイムスロットが終了したらステップＳ３３７の判定が満たされ、ステップＳ３３９で問合せコマンド信号の送信を割り当てるユニットを次の順番に切り替えてステップＳ３１０に戻り、同様の手順を繰り返す。
【０１４７】
ステップＳ３４０において、リプライ信号が受信された場合には判定が満たされ、前述と同様のステップＳ３５０に移って情報取得用の無線タグ回路素子Ｔoから取得した無線タグ情報を出力し、前述と同様のステップＳ３５１ですべてのアンテナユニット９等での読み取りが終了したかどうかを判定する。全てのアンテナユニット９等の読み取りがまだ終了していなければ判定が満たされず、上記ステップＳ３５２で順番切替処理後、ステップＳ３１０に戻って同様の手順を繰り返す。全ユニットについて読み取りが終了していればステップＳ３５１の判定が満たされ、このルーチンを終了する。
【０１４８】
図１６は、上記タイムシェアリングの挙動の一例を概念的に表す図である。
【０１４９】
図１６において、図中「１」「２」「３」「４」で表す各タイムスロットが、図１５に示した読み取りモード処理において実行される、アンテナユニット９，９′，９″のコマンド信号を順次切り替えながら（問合せコマンド信号を送信するアンテナユニットを順次切り替えながら）の情報取得用の無線タグ回路素子Ｔoとの通信に対応している。
【０１５０】
そして、図中「５」〜「１２」で表す各タイムスロットが書き込みモード処理において実行される手順に対応している。まず、図中「５」「６」で表す各タイムスロットが、図１４に示した割り込み読み取りモード処理において実行される、アンテナユニット９等（この例ではアンテナユニット９′、アンテナユニット９″の順）のコマンド信号を順次切り替えながら（問合せコマンド信号を送信するアンテナユニットを順次切り替えながら）の情報取得用の無線タグ回路素子Ｔoとの通信に対応している。また装置本体２側でみると、図１１のフローのステップＳ１１５から図１２に示すステップＳ２２０までに対応している。
【０１５１】
その後の図中「７」「８」「９」で表す各タイムスロットが、装置本体２側の、図１２に示すフローのステップＳ４００に対応している。
【０１５２】
そして、図中「１０」「１１」「１２」で表す各タイムスロットが、図１４に示した割り込み読み取りモード処理において実行される、アンテナユニット９等（この例ではアンテナユニット９′、アンテナユニット９″の順）のコマンド信号を順次切り替えながら（問合せコマンド信号を送信するアンテナユニットを順次切り替えながら）の情報取得用の無線タグ回路素子Ｔoとの通信に対応している。また装置本体２側でみると、図１２のフローのステップＳ２３０から図１１に示すステップＳ１６０までに対応している。
【０１５３】
そして再び、図中「１３」「１４」「１５」「１６」で表す各タイムスロットが、図１５に示した読み取りモード処理において実行される、アンテナユニット９，９′，９″のコマンド信号を順次切り替えながら（問合せコマンド信号を送信するアンテナユニットを順次切り替えながら）の情報取得用の無線タグ回路素子Ｔoとの通信に対応している。
【０１５４】
以上において、制御回路１１０が実行する図１４及び図１５のステップＳ３１０、ステップＳ３３０、及びステップＳ３３９が、複数の情報生成手段のうち、１つの情報生成手段が取得処理コマンド信号を生成し、残りの情報生成手段が非応答化処理コマンド信号を生成するように、複数の情報生成手段を制御する制御手段を構成する。
【０１５５】
以上説明した本実施形態においては、書き込みモードの実行時には、印字済みタグラベル用テープ１０９に備えられたラベル作成用の無線タグ回路素子Ｔoに対し、ループアンテナＬＣを介して情報の書き込みが行われ、更に当該印字済みタグラベル用テープ１０９が切断されることで、印字付の無線タグラベルＴが作成される。一方、読み取りモードの実行時には、筐体２００の外部に位置する情報取得用の無線タグ回路素子Ｔoに記憶された情報が、各アンテナ９，９′，９″に備えられたループアンテナＬＣ１，ＬＣ２，ＬＣ３を介して読み取られ、取得される。このように、１つの無線タグ情報通信装置１を使用して、タグラベル作成処理及び情報読み取り（取得）処理の両方が行えるので、ラベル作成装置及び情報読み取り装置の両方を別々に用意する場合に比べて、装置構成の簡素化及び利用者のコスト負担の低減を図ることができる。
【０１５６】
また読み取りモードの実行時においては、送信回路３１６Ａ〜３１６Ｃで実質同時タイミングで生成送信された複数種類の問合せコマンド信号がアンテナＬＣ１〜ＬＣ３より無線タグ回路素子Ｔoに送信され、これに応じて無線タグ回路素子ＴoからアンテナＬＣ１〜ＬＣ３で受信された応答信号は共通の１つの受信回路３１７で受信処理されて、読み取り情報が取得される。特に本実施形態では、送信回路３１６Ａ〜３１６Ｃのうち１つの送信回路からは問合せコマンド信号を生成して送信する。そして、残りの送信回路からは休眠化処理コマンド信号を生成して送信し、休眠化処理コマンド信号を受信した無線タグ回路素子Ｔoは休眠化され応答しなくなる。これにより、特にアンテナＬＣ１〜ＬＣ３を選択的に接続するスイッチ等を設けなくても、アンテナＬＣ１〜ＬＣ３のうちいずれか（問合せコマンド信号を送信するもの）を選択的に使用するのと同等の機能を得ることができる。この結果、操作者の利便性を向上することができる。
【０１５７】
特に本実施形態では、図１４及び図１５に示すフローのステップＳ３１０及びステップＳ３３０で、送信回路３１６Ａ〜３１６Ｃのうち１つの送信回路からは問合せコマンド信号を、残りの送信回路からは休眠化処理コマンド信号を生成して送信し、さらにその問合せコマンド信号を生成する１つの送信回路をステップＳ３５２やステップＳ３３９によって順次切り替える。これにより、アンテナＬＣ１〜ＬＣ３のうちいずれか（問合せコマンド信号を送信するもの）を常に選択的に１つ使用し、かつその選択するアンテナを順次切り替えていくのと同等の機能を得ることができる。この結果、操作者の利便性を向上することができる。
【０１５８】
なお、上記は、非応答化処理コマンド信号として、無線タグ回路素子Ｔoを休眠化させる休眠化処理コマンド信号を用いたが、これに限られない。すなわち、例えば無線タグ回路素子Ｔoを休眠化させずスタンバイ状態に維持したまま問い合わせコマンド信号に対する応答を拒否させるいわゆる応答拒否コマンド信号を用いてもよい。この場合も、同等の効果が得られる。
【０１５９】
また、上記のようにして問合せコマンド信号を生成する１つの送信回路３１６Ａ〜Ｃ（言い換えれば問合せコマンド信号を出力するアンテナＬＣ１〜３）を切り替えていくとき、例えばＬＥＤ等からなる点灯表示手段（図示省略）を筐体２００や各アンテナユニット９等に設けてその切り替え状態に対応した点灯表示を行うようにしてもよい。これにより、アンテナＬＣ１〜ＬＣ３のうちいずれによって無線タグ回路素子Ｔoからの情報取得が図られているのかを、操作者へ視覚的に明確に報知することができる。
【０１６０】
また、本実施形態では特に、上記図１４及び図１５に示したフローのステップＳ３５０において、無線タグ情報に、いずれのアンテナで（言い換えればいずれのアンテナユニット）で受信されたものであるかの識別子が付与されるようになっている。これにより、この無線タグ情報を情報サーバＩＳやルートサーバＲＳに格納するときに当該識別子を含む形で格納することができる。したがって、ＰＣ１１８より当該無線タグ情報を参照するときに、対応するアンテナＬＣ１〜ＬＣ３の通信範囲に基づき、当該情報が取得された無線タグ回路素子Ｔoの配置場所を概ね特定することができる。図１７は、このような読み取り情報と、上記アンテナ特定結果を表す識別子とを関連付けて記憶した例を表す図である（例えば制御回路１１０内のＲＡＭ１１７やその他の内外記憶装置、バッファメモリ等（＝読み取り情報記憶手段）に記憶される。この場合アンテナＬＣ１〜ＬＣ３の３つから受信されているにもかかわらず記憶装置等は１つでよい）。なお、読み取り情報（すなわち情報取得用の無線タグ回路素子Ｔoに記憶された情報）はタグＩＤのみであって、これに対応する情報（ひもづけられた対象物情報等）が上記情報サーバＩＳ等に格納されている構成でもよいし、情報取得用の無線タグ回路素子Ｔoに上記タグＩＤと対象物情報等とが記憶されている構成でもよい。また、図１７のように、各タグＩＤ及び対象物情報のそれぞれに対し対応アンテナ情報（アンテナユニット情報）を関連づけた形で順次記憶装置等に記憶するのでなく、記憶装置等に予め対応アンテナ（アンテナユニット）毎に区分された複数の記憶領域を形成しておき、各タグＩＤ及び対象物情報を、対応する記憶領域に振り分けて記憶していくようにしてもよい。
【０１６１】
また、このような手法は、一例として、装置本体２に対し複数の上記操作用のＰＣ１１８が上記通信回線ＮＷを介して接続され、各ＰＣ１１８の近傍にそれぞれ上記アンテナユニット９が配置されている場合等に特に便利である。
【０１６２】
図１８は、上記のような配置を表す模式平面図である。図１８において、無線タグ情報通信装置１の上記装置本体２が１つのデスク４００に配置されている。そして、これとは別の３つのデスク４００Ａ，４００Ｂ，４００Ｃに上記装置本体２に対し通信回線ＮＷで接続されたＰＣ１１８Ａ，１１８Ｂ，１１８Ｃ（操作端末）がそれぞれ配置されている。そして、各デスク４００Ａ，４００Ｂ，４００Ｃには、上記装置本体２に対し前述のケーブル２２３により接続されたアンテナユニット９，９′，９″が（ＰＣ１１８Ａ，１１８Ｂ，１１８Ｃの近傍となるように）それぞれ配置されている。
【０１６３】
このような配置とすることで、上記ステップＳ３５０で取得された無線タグ情報で、アンテナユニット９で受信されたものであれば対応する無線タグ回路素子Ｔoはデスク４００Ａの近傍にあり、アンテナユニット９′で受信されたものであれば対応する無線タグ回路素子Ｔoはデスク４００Ｂの近傍にあり、アンテナユニット９″で受信されたものであれば対応する無線タグ回路素子Ｔoはデスク４００Ｃの近傍にあると特定することができる。
【０１６４】
この場合、さらに進んで、上記ステップＳ３５０で、特定したアンテナＬＣ１〜ＬＣ３に対し上記のようにして対応づけたＰＣ１１８Ａ〜１１８Ｃに対し、通信回線ＮＷを介し無線タグ情報を出力するようにしてもよい（情報の出力先の端末を決定する情報振り分け手段としての機能）。このように、予め付与された上記識別子に基づき対応するＰＣ１１８Ａ〜Ｃへと自動配信することにより、操作者がいちいち煩雑な手動設定を行うことなく、該当するＰＣ１１８が自動的に出力先として設定される。この結果、操作者の操作負担を低減し利便性を向上することができる。
【０１６５】
また、図１６を用いて前述した各タイムスロットは、通常、比較的短い期間に設定されるため、その期間中にリプライ信号の多くの衝突が検知された場合、当該アンテナの読み取り対象の無線タグ回路素子Ｔoが著しく多く存在することが想定できる。これに対応してリプライ信号の衝突頻度に応じて対応するタイムスロットを長く設定（例えば図１４、図１５のステップＳ３３７での判断時間をアンテナ毎に異ならせる）することで、多数の無線タグ回路素子Ｔoからのリプライ信号を円滑に受信できるようにしてもよい。
【０１６６】
また、休眠化処理コマンド信号によりいったん休眠化処理された無線タグ回路素子Ｔoを前述の活性化処理コマンド信号で再び情報読み取り可能に立ち上げるには、信号送信後、所定の時間を要する。このため、アンテナＬＣ１〜ＬＣ３のうち、衝突頻度が高く多数の無線タグ回路素子Ｔoの存在が予想されるものについては、上記休眠化処理コマンド信号ではなく前述の応答拒否コマンド信号を対応する送信回路３１６Ａ〜３１６Ｃより生成するようにしてもよい。これにより、多数の無線タグ回路素子Ｔoの立ち上げを円滑に行わせて読み取り処理全体の効率を向上させることができる。
【０１６７】
さらに、衝突頻度が高く多数の無線タグ回路素子Ｔoの存在が予想されるアンテナについては、当該アンテナより問合せコマンド信号を送信するタイムスロット開始時でなくそれより少し早めのタイミング（直前のタイムスロットの終盤時期）において前述の活性化処理コマンド信号を送信するようにしてもよい。これにより、多数の無線タグ回路素子Ｔoの立ち上げをさらに円滑に行われ、読み取り処理効率の向上を図ることができる。
【０１６８】
また、以上は、ラベル作成用の無線タグ回路素子Ｔoに対し無線タグ情報を送信しＩＣ回路部１５１に書き込みを行って無線タグラベルＴを作成する場合を説明したが、これに限られない。すなわち、予め所定の無線タグ情報が書き換え不可に記憶保持されている読み取り専用のラベル作成用無線タグ回路素子Ｔoから無線タグ情報を読み取りながら、これに対応する印字を行って無線タグラベルＴを作成する場合にも本発明は適用でき、この場合も上記同様の効果を得ることができる。
【０１６９】
また、以上においては、ラベル作成用無線タグ回路素子Ｔoを備えた基材テープ１０１とは別のカバーフィルム１０３に印字を行ってこれらを貼り合わせる方式であったが、これに限られず、例えばタグテープに備えられた被印字テープ層の印字領域に印字を行う方式（貼りあわせを行わないタイプ）に本発明を適用してもよい。
【０１７０】
また、以上において、印字及びラベル作成用無線タグ回路素子Ｔoへのアクセス（読み取り又は書き込み）の終了した印字済みタグラベル用テープ１０９を切断機構１５で切断して無線タグラベルＴを作成した場合を例にとって説明したが、これに限られない。すなわち、ラベルに対応した所定の大きさに予め分離されたラベル台紙（いわゆるダイカットラベル）がロールから繰り出されるテープ上に連続配置されているような場合には、切断機構１５で切断しなくても、テープがラベル排出口１１から排出されてきた後にラベル台紙（アクセス済みのラベル作成用無線タグ回路素子Ｔoが備えられかつ対応する印字がなされたもの）のみをテープから剥がして無線タグラベルＴを作成しても良く、本発明はこのようなものに対しても適用できる。
【０１７１】
さらに、以上は、印字済みタグラベル用テープ１０９を用いて、印字付の無線タグラベルＴを作成した場合を例にとって説明したが、これに限られず、本発明は、印字の無い無線タグラベルＴを作成するものに対しても適用できる。
【０１７２】
また、以上既に述べた以外にも、上記実施形態や各変形例による手法を適宜組み合わせて利用しても良い。
【０１７３】
その他、一々例示はしないが、本発明は、その趣旨を逸脱しない範囲内において、種々の変更が加えられて実施されるものである
【図面の簡単な説明】
【０１７４】
【図１】本発明の一実施形態である無線タグ情報通信装置を備えた無線タグ生成システムを表すシステム構成図である。
【図２】無線タグ情報通信装置の全体構造を表す斜視図である。
【図３】無線タグ情報通信装置の内部の内部ユニットの構造を表す斜視図である。
【図４】無線タグ情報通信装置の内部の内部ユニットの構造を表す平面図である。
【図５】カートリッジの詳細構造を模式的に表す拡大平面図である。
【図６】本発明の一実施形態である無線タグ情報通信装置の制御系を表す機能ブロック図である。
【図７】無線タグ回路素子の機能的構成を表す機能ブロック図である。
【図８】無線タグ情報通信装置によりラベル作成用無線タグ回路素子の情報書き込み（又は読み取り）及び印字済みタグラベル用テープの切断が完了し形成された無線タグラベルの外観の一例を表す上面図及び下面図である。
【図９】図８中IXA−IXA′断面による横断面図を反時計方向に９０°回転させた図及び図８中IXB−IXB′断面による横断面図を反時計方向に９０°回転させた図である。
【図１０】制御回路によって実行される制御手順を表すフローチャートである。
【図１１】図１０に示したステップＳ１００の詳細手順を表すフローチャートである。
【図１２】図１１に示したステップＳ２００の詳細手順を表すフローチャートである。
【図１３】図１２に示したステップＳ４００の詳細手順を表すフローチャートである。
【図１４】割り込み読み取り処理の詳細手順を表すフローチャートである。
【図１５】図１０に示したステップＳ３００の詳細手順を表すフローチャートである。
【図１６】タイムシェアリングの挙動の一例を概念的に表す図である。
【図１７】読み取り情報と、アンテナ特定結果を表す識別子とを関連付けて記憶した例を表す説明図である。
【図１８】装置本体に対し複数の操作用端末が接続され、各端末の近傍にそれぞれアンテナユニットが配置されている配置を表す模式平面図である。
【符号の説明】
【０１７５】
１              無線タグ情報通信装置（無線タグ情報読み取り装置）
９              アンテナユニット
９′            アンテナユニット
９″            アンテナユニット
１１８Ａ〜Ｃ    ＰＣ（操作端末）
１５１          ＩＣ回路部
１５２          ループアンテナ（タグ側アンテナ）
２００          筐体
３１６Ａ〜Ｃ    送信回路（搬送波変調手段、情報生成手段）
３１７          受信回路（情報処理手段）
ＬＣ１〜３      ループアンテナ（装置側アンテナ）
Ｔｏ            無線タグ回路素子
【図１】
2008242857.tif 000003
【図２】
2008242857.tif 000004
【図３】
2008242857.tif 000005
【図４】
2008242857.tif 000006
【図５】
2008242857.tif 000007
【図６】
2008242857.tif 000008
【図７】
2008242857.tif 000009
【図８】
2008242857.tif 000010
【図９】
2008242857.tif 000011
【図１０】
2008242857.tif 000012
【図１１】
2008242857.tif 000013
【図１２】
2008242857.tif 000014
【図１３】
2008242857.tif 000015
【図１４】
2008242857.tif 000016
【図１５】
2008242857.tif 000017
【図１６】
2008242857.tif 000018
【図１７】
2008242857.tif 000019
【図１８】
2008242857.tif 000020